(57)【特許請求の範囲】
【請求項１】
水を貯留するためのタンクと、
前記タンクから供給された水を蒸発させる加湿フィルタと、
前記加湿フィルタに空気を供給する送風手段と、
前記加湿フィルタの表面の一部と前記タンクとを連結して、前記水を流通させる供給手段と、
を備え、
前記供給手段は、筒状のスリーブを有し、該スリーブの端部が前記加湿フィルタの表面の一部と密着して水密状態に保ち、前記タンク内の前記水を前記加湿フィルタの表面の一部に供給し、
前記加湿フィルタは、親水性を有する多孔質材料により形成され、表面の一部に供給された前記水を、毛細管現象により内部に浸透させて他の表面の少なくとも一部に移動させ、該表面で自然蒸発させる
ことを特徴とする加湿器。
【請求項２】
前記加湿フィルタは、エポキシ系樹脂の多孔質高分子基材により形成された
ことを特徴とする請求項１記載の加湿器。
【請求項３】
前記加湿フィルタは、一部材の塊により形成された
ことを特徴とする請求項１または２記載の加湿器。
【請求項４】
前記加湿フィルタを、前記水が供給される吸水側の領域と、前記水を自然蒸発させる蒸発側の領域とに区分した場合、
吸水側の領域における前記多孔質材料の平均孔径が、蒸発側の領域における前記多孔質材料の平均孔径より大きい
ことを特徴とする請求項１〜３の何れか１項に記載の加湿器。
【請求項５】
前記加湿フィルタは、
前記水が蒸発して表面に折出した水中難溶成分が、物理的な摩擦が加えられることにより、または、溶剤の塗布による化学的な分解によって除去が可能である
ことを特徴とする請求項１〜４の何れか１項に記載の加湿器。
【請求項６】
前記加湿フィルタを形成する前記多孔質材料は、
白金、銀、銅、亜鉛、ニッケル、硫黄系、カルシウム系、塩素化合物、ヨウ素化合物、過酸化物などの無機系抗菌剤、クレオソート油、ワサオールなどの天然系抗菌剤、有機系脂肪族、芳香族化合物の少なくとも１つが混入された
ことを特徴とする請求項１〜５の何れか１項に記載の加湿器。
【請求項７】
前記加湿フィルタを複数備え、
前記供給手段は、前記加湿フィルタごとに設けられた
ことを特徴とする請求項１記載の加湿器。
【発明の詳細な説明】
【技術分野】
【０００１】
本発明は、常温蒸発方式の加湿器に関する。
【背景技術】
【０００２】
従来から加湿器の加湿方法として、主に超音波方式、加熱蒸発方式、常温蒸発方式が知られている。それぞれの加湿方法は一長一短がある。
超音波方式は、小型、安価、加湿量が大きいなどの長所を持っているが、加湿用水にあるカルシウム、ナトリウムなどの難溶成分や、水中にある菌、ウイルスなどの微生物が水分と一緒に空気中に放出され、人体や、家具、家電に影響を及ぼす欠点がある。また、使用環境の湿度分布のバランスが取れ難く、過加湿による結露が発生し易い欠点もある。
加熱蒸発方式は、衛生的、加湿量が多いなどの長所を持っているが、消費電力が大きく、水を加熱するため高温になり、水温上昇により、水中難溶ミネラル成分が析出し、加熱箇所に蓄積することで加熱性能がどんどん落ちるなどの欠点がある。
常温蒸発方式は、安全、省エネルギーなどの長所を持っているが、本体が大きい、単位面積の加湿量が少ないなどの欠点がある。
【０００３】
従来の常温蒸発方式を利用する加湿器は、蒸発加湿用フィルタ或いは加湿ディスク、この蒸発加湿用フィルタ或いはディスクに水を供給するための貯水トレー、貯水トレーに加湿用水を供給するためのタンクなどから構成されている。このような構成の加湿器では、加湿用水はタンクからいったん貯水トレーに入り、この貯水トレーから蒸発加湿用フィルタや加湿ディスクに供給される（例えば、特許文献１参照）。
【０００４】
また、常温蒸発方式を利用する加湿器においては、不織布からなる加湿フィルタや、不織布とフッ素系加湿膜で積層した加湿ユニット、多孔質高分子基剤の骨格が撥水性および撥油性を有する有機ポリマーで被覆された加湿膜を含む加湿ユニット等を使用して空気を加湿するものがある（例えば、特許文献２参照）。
【先行技術文献】
【特許文献】
【０００５】
【特許文献１】特許第４２７０１６８号公報
【特許文献２】特許第３７５８６９５号公報
【発明の概要】
【発明が解決しようとする課題】
【０００６】
上記特許文献１に記載の加湿器は、加湿用水がいったん貯水トレーに入り、この貯水トレーから加湿用フィルタや加湿ディスクに供給される構成となっている。しかし、このような加湿器では、貯水トレーにほこり等が溜まり、菌、ウイルス類などが繁殖し易い、という問題点があった。また、水中難溶成分の濃縮により貯水トレーにスケールが溜まる、という問題点があった。
【０００７】
また、上記特許文献２に記載の加湿器では、不織布からなる加湿フィルタや、不織布とフッ素系加湿膜で積層した加湿ユニットや、貫通孔を持つ多孔質加湿部材などにより加湿している。このため、加湿フィルタ或いは加湿ユニットを構成する部材からの加湿用水の蒸発により、加湿フィルタ或いは加湿ユニットの内部にスケールが溜まり、加湿性能が劣化する、という問題点があった。また、加湿フィルタ或いは加湿ユニットの内部にスケールが溜まると、その洗浄作業に手間がかかる、という問題点があった。
【０００８】
また、上記特許文献２に記載の加湿器は、加湿ユニットの吸水層が不織布などから構成され、その吸水層両面に多孔質ポリテトラフルオロエチレンで加湿膜を作っている。この加湿ユニットは、加湿用水蒸発による濃縮で、不織布にスケールがつまり、加湿性能が低下し易い、という問題点があった。また、三層構造となっている高分子多孔質加湿フィルタは、複雑な加工が必要であり、コストがかかる、という問題点があった。
【０００９】
本発明は、上記のような課題を解決するためになされたもので、加湿フィルタの内部に形成されるスケールを軽減することができる加湿器を得るものである。
【課題を解決するための手段】
【００１０】
本発明に係る加湿器は、水を貯留するためのタンクと、前記タンクから供給された水を蒸発させる加湿フィルタと、前記加湿フィルタに空気を供給する送風手段と、前記加湿フィルタの表面の一部と前記タンクとを連結して、前記水を流通させる供給手段と、を備え、前記供給手段は、筒状のスリーブを有し、該スリーブの端部が前記加湿フィルタの表面の一部と密着して水密状態に保ち、前記タンク内の前記水を前記加湿フィルタの表面の一部に供給し、前記加湿フィルタは、親水性を有する多孔質材料により形成され、表面の一部に供給された前記水を、毛細管現象により内部に浸透させて他の表面の少なくとも一部に移動させ、該表面で自然蒸発させるものである。
【発明の効果】
【００１１】
本発明においては、加湿フィルタは、親水性を有する多孔質材料により形成されている。このため、加湿フィルタの内部に形成されるスケールを軽減することができる。
【図面の簡単な説明】
【００１２】
【図１】本発明の実施の形態１に係る加湿器の概略構成図である。
【図２】親水性を有する多孔質材料の細孔径（μｍ）と吸水速度（ｃｍ／ｈ）の関係を示すグラフの一例である。
【図３】本発明の実施の形態１に係る高分子多孔質加湿フィルタの異なる孔径の構成を模式的に示す図である。
【図４】本発明の実施の形態３に係る高分子多孔質加湿フィルタの形状例を示す図である。
【図５】本発明の実施の形態３に係る高分子多孔質加湿フィルタの形状例を示す図である。
【図６】本発明の実施の形態４に係る加湿器の供給手段の構造を示す拡大断面図である。
【図７】本発明の実施の形態４に係る加湿器の概略構成の上面図である。
【発明を実施するための形態】
【００１３】
実施の形態１．
図１は本発明の実施の形態１に係る加湿器の概略構成図である。
図１において、本実施の形態における加湿器は、加湿用の水を貯留するための加湿用水タンク１０と、この加湿用水タンク１０を支えるための加湿用水タンク台２０と、高分子多孔質加湿フィルタ３０と、この高分子多孔質加湿フィルタ３０を加湿器本体に固定するための固定手段４０と、高分子多孔質加湿フィルタ３０の下方に設けられ、高分子多孔質加湿フィルタ３０に空気を供給する送風手段５０と、高分子多孔質加湿フィルタ３０に供給される空気の吸気口６０と、加湿された空気を排出するための排気口７０とを備える。
【００１４】
なお、「加湿用水タンク１０」は、本発明における「タンク」に相当する。
なお、「高分子多孔質加湿フィルタ３０」は、本発明における「加湿フィルタ」に相当する。
【００１５】
加湿用水タンク１０は、その上部に投入口１０ａが形成され、投入口１０ａから投入された加湿用の水（加湿用水）を貯留する。また、加湿用水タンク１０は、その側面の下部に、高分子多孔質加湿フィルタ３０の表面の一部と当該加湿用水タンク１０とを連結して、加湿用水を流通させる供給手段１０ｂを備えている。この供給手段１０ｂは、高分子多孔質加湿フィルタ３０が嵌められない限り、タンク内の水が出ない仕組みとなっている。詳細は後述する。なお、加湿用水タンク１０内の加湿用水をなるべく多く高分子多孔質加湿フィルタ３０に供給できるように、供給手段１０ｂは加湿用水タンク１０の底に隣接して設けるのが望ましい。
【００１６】
高分子多孔質加湿フィルタ３０は、親水性を有する多孔質材料により形成される。また、高分子多孔質加湿フィルタ３０は、加湿用水タンク１０の供給手段１０ｂと接続できるように成型される。例えば図１に示すように、ほぼ直方体形状に成形される。なお、本実施の形態では、高分子多孔質加湿フィルタ３０が２つの場合を説明するが、これに限らず、単数または３以上であっても良い。高分子多孔質加湿フィルタ３０を複数備える場合には、供給手段１０ｂは、高分子多孔質加湿フィルタ３０ごとに設ける。
【００１７】
このような構成により、高分子多孔質加湿フィルタ３０と供給手段１０ｂとが接続されると、高分子多孔質加湿フィルタ３０の表面の一部に、加湿用水タンク１０内の加湿用水が供給される。高分子多孔質加湿フィルタ３０の表面の一部に供給された加湿用水は、毛細管現象により内部に浸透し、加湿用水が供給された表面（吸水側）から他の表面（蒸発面）に移動される。そして、蒸発側の表面上に移動した水は自然蒸発する。吸気口６０から流入する空気は、送風手段５０を通して、高分子多孔質加湿フィルタ３０の表面の下部から上部へ流れ、加湿されたあと、排気口７０から排出される。
【００１８】
（高分子多孔質加湿フィルタ３０の詳細）
次に、高分子多孔質加湿フィルタ３０の詳細について説明する。
高分子多孔質加湿フィルタ３０は、親水性を有する多孔質材料（多孔質体）により形成されている。例えば、高分子多孔質加湿フィルタ３０は、エポキシ系樹脂の多孔質高分子基材により形成されている。この多孔質体は、３次元構造の連続細孔を有するものである。
また、高分子多孔質加湿フィルタ３０は、保護枠を設置しなくてもその形状を保持できる十分な強度を持っている。
高分子多孔質加湿フィルタ３０は、親水性を有するので、その表面の一部が水に浸されると、水が容易に細孔に入り、水は多孔質フィルタの下から上まで、また内部から表面まで侵入できる。
【００１９】
また、１つの高分子多孔質加湿フィルタ３０は、一部材の塊により形成されている。このため、送風手段５０から供給される空気は高分子多孔質加湿フィルタ３０の外表面を流通し、加湿用水は高分子多孔質加湿フィルタ３０の表面上で自然蒸発し易い構成となっている。
【００２０】
また、高分子多孔質加湿フィルタ３０は、親水性を有する多孔質材料により形成されているので、供給された水は材料表面での移動が速く、また、細孔径の変化による吸水速度の違いが大きい。この細孔径の変化による吸水速度について図２により説明する。
【００２１】
図２は親水性を有する多孔質材料の細孔径（μｍ）と吸水速度（ｃｍ／ｈ）の関係を示すグラフの一例である。
図２に示すように、高分子多孔質加湿フィルタ３０を形成する親水性を有する多孔質材料の吸水速度は、細孔径が１０μｍ以下の領域において急激に上昇するが、細孔径が１０μｍ以上の領域（１００μｍ以下）においては大きな変化は見られなかった。
【００２２】
高分子多孔質加湿フィルタ３０に当たる空気は、下部の吸水側から上部の蒸発側に行き渡り、空気の湿度は、フィルタ表面の接触順にしたがって加湿されるため、下部の蒸発量は上部と比較すると高い傾向がある。
このため、高分子多孔質加湿フィルタ３０は、当該高分子多孔質加湿フィルタ３０を、加湿用水が供給される吸水側の領域と、加湿用水を自然蒸発させる蒸発側の領域とに区分した場合、吸水側の領域における多孔質材料の平均孔径が、蒸発側の領域における多孔質材料の平均孔径より大きい構成となっている。例えば図１の例では、高分子多孔質加湿フィルタ３０の下方の吸水側と、上方の蒸発側とで細孔径が異なり、吸水側（下方）の孔径が蒸発側（上方）の孔径より大きい構成となっている。具体例を図３により説明する。
【００２３】
図３は本発明の実施の形態１に係る高分子多孔質加湿フィルタの異なる孔径の構成を模式的に示す図である。
図３において、３０ａは吸水側の均一細孔、３０ｂは蒸発側の均一細孔を模式的に示している。図３に示すように、吸水側の均一細孔３０ａの孔径は、蒸発側の均一細孔３０ｂの孔径より大きい構成としている。
例えば、吸水側の細孔径が５〜１００μｍで、平均孔径が５μｍ以上であれば、吸水速度が３０ｃｍ／ｈ以上を達成できる。これは、自然蒸発速度を考えると、吸水速度が無視できる速さである。
【００２４】
なお、加湿器の能力として、例えば大容量加湿器能力８００ｍｌ／ｈの性能を想定した場合、多孔質体の細孔径は１０〜５０μｍ範囲内の均一細孔径を持たせることが望ましい。また、蒸発側の細孔径は１〜２０μｍ、５〜１０μｍの範囲内の均一細孔径を持たせることが望ましい。
【００２５】
次に、上記のように多孔質材料の細孔径を、吸水側を小さくし蒸発側を大きくする構成としたことによる効果について説明する。
【００２６】
多孔質構造の吸水の原理は「毛細管現象」であり、毛細管現象による水の吸い上げ高さｈは下記の式（１）で決められる。
【００２７】
【数１】
0005289389.tif 000002
【００２８】
高分子多孔質加湿フィルタ３０は一部材により形成されているので、異なる細孔に入る加湿用水の上昇高さを見ると、式（１）において、管の内径ｒ以外の値は同じとなる。すなわち、細孔半径が小さい方が水の上昇高さが高いことになる。
つまり、高分子多孔質加湿フィルタ３０の細孔径は、下部の吸水側の細孔径が小さく、上部の蒸発側が大きいため、加湿用水を上部先端まで吸い上げることができる。
また、例えば、加湿用水タンク１０からの水の供給が途切れた場合でも、高分子多孔質加湿フィルタ３０の下部から上部の蒸発側へ吸水をし続け、フィルタの表面から水を蒸発させることができる。
このため、高分子多孔質加湿フィルタ３０内部の水の滞留を少なくすることができ、高分子多孔質加湿フィルタ３０内部での水分蒸発を少なくすることができる。
したがって、高分子多孔質加湿フィルタ３０内部に形成されるスケールの量を低減することができる。
【００２９】
なお、本実施の形態では、高分子多孔質加湿フィルタ３０の吸水側と蒸発側とが異なる孔径の均一細孔である場合を説明したが、本発明はこれに限るものではなく、当該高分子多孔質加湿フィルタ３０を、加湿用水が供給される吸水側の領域と、加湿用水を自然蒸発させる蒸発側の領域とに区分した場合、吸水側の領域における多孔質材料の平均孔径が、蒸発側の領域における多孔質材料の平均孔径より大きい構成であればよい。例えば、高分子多孔質加湿フィルタ３０を孔径が異なる３つ以上の均一細孔を持たせるようにし、吸水側に近い部分の孔径が、蒸発側に近い部分の孔径より大きくなるようにしても良い。また、細孔径を無段階で変化させ、吸水側から蒸発側に行くにつれて徐々に細孔径が小さくなるような構成としても良い。
【００３０】
なお、本実施の形態では、高分子多孔質加湿フィルタ３０の吸水側と蒸発側とで多孔質材料の細孔径が異なる場合を説明したが、本発明はこれに限るものではなく、高分子多孔質加湿フィルタ３０全体について略均一の細孔径である多孔質体を用いる構成でも良い。
【００３１】
なお、加湿用水の蒸発より、高分子多孔質加湿フィルタ３０の表面には、カルシウムやナトリウムなどの水中難溶成分が析出し、表面にスケールとなる。スケールが溜まると、多孔質の細孔がつまり、加湿量が少なくなる。このため、所定の加湿量を維持するため、スケールができた高分子多孔質加湿フィルタ３０をスケール除去する作業が必要になる。
本実施の形態における高分子多孔質加湿フィルタ３０は、加湿用水が表面で蒸発するため、スケールがフィルタ表面にしか溜まらない。このため、物理的な摩擦（擦り等）が加えられることにより、または、酸などの薬剤（溶剤）が表面に塗布されることによる化学的な分解によって、スケールを除去することが容易にできる。
また、高分子多孔質加湿フィルタ３０は、エポキシ系樹脂でできた３次元構造の多孔質体であるため、高分子多孔質加湿フィルタ３０の表面を痛んでも加湿性能への影響は少ない。
【００３２】
以上のように本実施の形態においては、高分子多孔質加湿フィルタ３０は、親水性を有する多孔質材料により形成されている。
このため、加湿用水を高分子多孔質加湿フィルタ３０の内部および表面に浸透させることができ、高分子多孔質加湿フィルタ３０に供給された空気を加湿することができる。
また、高分子多孔質加湿フィルタ３０の表面で加湿用水を蒸発させることができ、高分子多孔質加湿フィルタ３０内部に形成されるスケールの量を軽減することができる。
また、加湿方式は自然蒸発であるため、加湿用水に含まれるカルシウム、ナトリウムなどの難溶成分や、水中にある菌、ウイルスなどの微生物を加湿器機外に出しにくくすることができる。
また、加湿方式は自然蒸発であるため、ヒーター等を使用する必要が無く、エネルギーの消費を少なくすることができる。
【００３３】
また、高分子多孔質加湿フィルタ３０は、エポキシ系樹脂の多孔質高分子基材により形成されている。
このため、高分子多孔質加湿フィルタ３０をセラミックまたは無機多孔質で形成する場合と比較して、加工が容易、安価、軽量である。
【００３４】
また、高分子多孔質加湿フィルタ３０は、一部材の塊により形成されている。
このため、送風手段５０から供給される空気は高分子多孔質加湿フィルタ３０の外表面を流通し、加湿用水は高分子多孔質加湿フィルタ３０の表面上で自然蒸発し易い構成とすることができる。よって、高分子多孔質加湿フィルタ３０の表面で加湿用水を蒸発させることができ、高分子多孔質加湿フィルタ３０内部に形成されるスケールの量を軽減することができる。
また、複雑な加工が不要となり、コストを軽減することができる。
【００３５】
また、高分子多孔質加湿フィルタ３０は、表面の一部に供給された水を、毛細管現象により内部に浸透させて他の表面の少なくとも一部に移動させ、該表面で自然蒸発させる。
このため、高分子多孔質加湿フィルタ３０の表面で加湿用水を蒸発させることができ、高分子多孔質加湿フィルタ３０内部に形成されるスケールの量を軽減することができる。
【００３６】
また、高分子多孔質加湿フィルタ３０を、水が供給される吸水側の領域と、水を自然蒸発させる蒸発側の領域とに区分した場合、吸水側の領域における多孔質材料の平均孔径が、蒸発側の領域における多孔質材料の平均孔径より大きい構成としている。
このため、高分子多孔質加湿フィルタ３０内部の水の滞留を少なくすることができ、高分子多孔質加湿フィルタ３０内部での水分蒸発を少なくすることができる。
したがって、高分子多孔質加湿フィルタ３０内部に形成されるスケールの量を低減することができる。
また、高分子多孔質加湿フィルタ３０を形成する多孔質材料の平均孔径の設定により、有効加湿面に加湿用水をバランスよく分布させることができ、加湿量を多くすることができる。
【００３７】
実施の形態２．
本実施の形態における、高分子多孔質加湿フィルタ３０を形成する多孔質材料は、白金、銀、銅、亜鉛、ニッケル、硫黄系、カルシウム系、塩素化合物、ヨウ素化合物、過酸化物などの無機系抗菌剤、クレオソート油、ワサオールなどの天然系抗菌剤、有機系脂肪族、芳香族化合物の少なくとも１つが混入されている。
【００３８】
このような物質を多孔質材料に混入することにより、高分子多孔質加湿フィルタ３０に抗菌性を持たすことができる。
このため、高分子多孔質加湿フィルタ３０に浸透する加湿用水に含まれるウイルスや菌を除去することができる。
また、高分子多孔質加湿フィルタ３０内部の加湿用水に含まれる菌や微生物の繁殖を軽減することができ、菌や微生物由来の臭気を軽減することができる。
【００３９】
実施の形態３．
図４および図５は本発明の実施の形態３に係る高分子多孔質加湿フィルタの形状例を示す図である。
図４（ａ）および図５（ａ）は、高分子多孔質加湿フィルタ３０の別形状の斜視図を示しており、図４（ｂ）および図５（ｂ）は、高分子多孔質加湿フィルタ３０の別形状の断面図を示している。
高分子多孔質加湿フィルタ３０は、図４或いは図５の形状に成形しても良い。
加湿器の加湿量は高分子多孔質加湿フィルタ３０の蒸発面の面積に比例するため、図４或いは図５に示すような形状として、高分子多孔質加湿フィルタ３０の蒸発面を増やすことで、蒸発量を増やすことができる。
【００４０】
実施の形態４．
図６は本発明の実施の形態４に係る加湿器の供給手段の構造を示す拡大断面図である。
図６（ａ）は高分子多孔質加湿フィルタ３０が取り付けられていない状態、図６（ｂ）は高分子多孔質加湿フィルタ３０が取り付けられている状態を示している。
図６に示すように、加湿用水タンク１０の供給手段１０ｂは、弁シャフト１１、ゴム状の弁シート１２、弁スプリング１３、およびスリーブ１４から構成されている。
また、加湿用水タンク１０には弁シャフト１１が間隙を設けて挿入される開口が形成されている。
弁シャフト１１は、加湿用水タンク１０の開口に挿入され、その一方の端に円板状の受け部１１ａが一体的に形成されており、他方の端（すなわち加湿用水タンク１０側）には弁シート１２がわずかに凸形になるように取り付けられている。
弁スプリング１３は、加湿用水タンク１０の側面と弁シャフト１１の受け部１１ａとの間に介在され、加湿用水タンク１０の開口が弁シート１２で塞がれる方向に付勢するようにしている。
スリーブ１４は筒状に形成され、その端部が高分子多孔質加湿フィルタ３０と接触される。
【００４１】
このような構成により、図６（ａ）に示すように、高分子多孔質加湿フィルタ３０で供給手段１０ｂを押さない限り、加湿用水タンク１０内は供給手段１０ｂによって密閉状態が保持され、加湿用水タンク１０から水が漏れることがない。
図６（ｂ）に示すように、高分子多孔質加湿フィルタ３０が加湿用水タンク１０に嵌められると、弁シャフト１１が高分子多孔質加湿フィルタ３０の側面に押され、加湿用水タンク１０側に移動し、供給手段１０ｂの弁スプリング１３が縮んだ状態になり、供給手段１０ｂが開いて加湿用水タンク１０内の水がスリーブ１４内に供給される。スリーブ１４の端部は高分子多孔質加湿フィルタ３０の側面と密着して水密状態に保たれる。これにより、加湿用水タンク１０内の水が、高分子多孔質加湿フィルタ３０の表面に供給される。
【００４２】
図７は本発明の実施の形態４に係る加湿器の概略構成の上面図である。
図７に示すように、高分子多孔質加湿フィルタ３０を複数備える場合には、供給手段１０ｂは、高分子多孔質加湿フィルタ３０ごとに設ける構成とする。
【００４３】
以上のように本実施の形態においては、高分子多孔質加湿フィルタ３０の表面の一部と加湿用水タンク１０とを連結して、水を流通させる供給手段１０ｂを備えている。
このように、加湿用水タンク１０から高分子多孔質加湿フィルタ３０に直接接続し、加湿用水トレーをなくすことで、貯水トレーでの埃の堆積、菌、ウイルスなどの微生物の繁殖、スケールの堆積をなくすことができる。
【００４４】
また、高分子多孔質加湿フィルタ３０を複数備える場合であっても、加湿用水タンク１０から高分子多孔質加湿フィルタ３０に直接接続することができる。
【符号の説明】
【００４５】
１０  加湿用水タンク、１０ａ  投入口、１０ｂ  供給手段、１１  弁シャフト、１１ａ  受け部、１２  弁シート、１３  弁スプリング、１４  スリーブ、２０  加湿用水タンク台、３０  高分子多孔質加湿フィルタ、３０ａ  吸水側の均一細孔、３０ｂ  蒸発側の均一細孔、４０  固定手段、５０  送風手段、６０  吸気口、７０  排気口。
【図１】
0005289389.tif 000003
【図２】
0005289389.tif 000004
【図３】
0005289389.tif 000005
【図４】
0005289389.tif 000006
【図５】
0005289389.tif 000007
【図６】
0005289389.tif 000008
【図７】
0005289389.tif 000009